(57)【特許請求の範囲】
【請求項１】
建築工作物に対し避雷設備あるいは避雷保護範囲を設定する設計を行う際に用いる、複数枚の回転球体法定規からなる回転球体法定規セットであって、
上記各回転球体法定規は、該定規の所定の球体半径の、１つまたは複数の所定の縮尺の円弧の一部が、１つまたは複数の分割円弧線として透明プレートに描画されたものであり、
上記各回転球体法定規は、該定規上における、上記所定の縮尺毎の高さ０ｍを表す地表線と、該地表線との垂直度を示す鉛直線とを備え、
上記鉛直線は、地表面からの所定の高さ間隔毎に若干長の長さで形成された高さ目盛り線を有し、上記各分割円弧線は、１つまたは複数の線が水平に描画され、そのそれぞれが高さを示す高さ指示線を有するものであり、
所定の縮尺で描かれた建築図面に対して、所要の球体半径の定規をあてがい、該建築図面と同じ縮尺の円弧の一部である１つの円弧線または複数の分割円弧線が連なった円弧線を、回転球体法に基づいて、大地と避雷設備とに、または２つ以上の避雷設備に同時に接するように描画する、
ことを特徴とする回転球体法定規セット。
【請求項２】
請求項１に記載の回転球体法定規セットにおいて、
上記各回転球体法定規毎の所定の球体半径は、２０ｍ、３０ｍ、４５ｍ、及び６０ｍの４種類である、
ことを特徴とする回転球体法定規セット。
【請求項３】
請求項１または２に記載の回転球体法定規セットにおいて、
上記各回転球体法定規は、すべて同一サイズである、
ことを特徴とする回転球体法定規セット。
【請求項４】
請求項１ないし３のいずれかに記載の回転球体法定規セットにおいて、
上記各回転球体法定規は、すべてＡ４サイズである、
ことを特徴とする回転球体法定規セット。
【請求項５】
請求項１ないし４のいずれかに記載の回転球体法定規セットにおいて、
上記各回転球体法定規に描画された各分割円弧線は、各２０ｍ、３０ｍ、４５ｍ、６０ｍの半径の所定の縮尺円の１／４円分の円弧線、またはこれを１／２〜１／４に分割した円弧線であり、
上記半径２０ｍ用の定規は、半径２０ｍの円の、１／１００の縮尺の１／４円分の円弧線を２分割して得られる２つの円弧線、及び／または該半径２０ｍの円の、１／２００の縮尺の１／４円分の円弧線を有するものであり、
上記半径３０ｍ用の定規は、半径３０ｍの円の、１／１００の縮尺の１／４円分の円弧線を３分割して得られる３つの円弧線、及び／または該半径３０ｍの円の、１／２００の縮尺の１／４円分の円弧線を有するものであり、
上記半径４５ｍ用の定規は、半径４５ｍの円の、１／１００の縮尺の１／４円分の円弧線を４分割して得られる４つの円弧線、及び／または該半径４５ｍの円の、１／２００の縮尺の１／４円分の円弧線を２分割して得られる２つの円弧線を有するものであり、
上記半径６０ｍ用の定規は、半径６０ｍの円の、１／１００の縮尺の１／４円分の円弧線を４分割して得られる４つの円弧線、及び／または該半径６０ｍの円の、１／２００の縮尺の１／４円分の円弧線を３分割して得られる３つの円弧線を有するものである、
ことを特徴とする回転球体法定規セット。
【請求項６】
請求項５に記載の回転球体法定規セットにおいて、
上記半径６０ｍ用の定規は、半径６０ｍの円の、上記１／２００の縮尺の１／４円分の円弧線を３分割して得られる３つの円弧線を、該半径６０ｍ用の定規上に有さず、上記半径３０ｍ用の定規上にある、上記半径３０ｍの円の、１／１００の縮尺の１／４円分の円弧線を３分割して得られる３つの円弧線を、該３つの円弧線として用いる、
ことを特徴とする回転球体法定規セット。
【請求項７】
請求項１に記載の回転球体法定規セットにおいて、
上記地表線、上記高さ目盛り線、及び高さ指示線のいずれかを用いて、水平度を確認可能とした、
ことを特徴とする回転球体法定規セット。
【請求項８】
請求項１ないし７のいずれかに記載の回転球体法定規セットにおいて、
上記透明プレートに描画された各分割円弧線は、該各分割円弧線をそのまま建築図面上に描けるよう筆記用具挿通可能な溝が形成されてなるものである、
ことを特徴とする回転球体法定規セット。
【請求項９】
請求項１ないし８のいずれかに記載の回転球体法定規セットにおいて、
上記各分割円弧線に有する１つまたは複数の高さ指示線のいずれかに、該高さ指示線をそのまま建築図面上に描けるよう筆記用具挿通可能な溝が形成されている、
ことを特徴とする回転球体法定規セット。
【請求項１０】
請求項１ないし９のいずれかに記載の回転球体法定規セットにおいて、
上記透明プレートは、該透明プレートを通して建築図面を視認可能な半透明なものである、
ことを特徴とする回転球体法定規セット。
【請求項１１】
請求項１ないし１０のいずれかに記載の回転球体法定規セットにおいて、
上記透明プレートは、透明ポリエチレン製である、
ことを特徴とする回転球体法定規セット。
【発明の詳細な説明】
【０００１】
【発明の属する技術分野】
この発明は回転球体法定規セットに関し、特に、建築工作物に避雷設備を施設するに先立ち、当該建築物の避雷保護範囲を設定する設計時に使用する回転球体法定規セットに関するものである。
【０００２】
【従来の技術】
避雷設備の規格として、ＪＩＳ−Ａ−４２０１が昭和２７年に制定されているが、制定以来避雷設備の施行実績と効果を再検討し内容の見直しが行われ、これまでに数回の改正が加えられてきた。
特に、雷撃に対する建築物の保護範囲については、これまでの理論的実験的検討結果から、従来規格でもそれを一応の根拠として一般建築物では保護角６０度、危険物取扱い建築物では保護角４５度という値が決められた。しかし、これまでの避雷の実績からみてこの値では必ずしも完全な保護を期待できないことが分かってきた。事実、保護角６０度以内にある屋上パラペットや屋根などに雷撃があったという報告は少なくなく、最新の避雷理論に基づく見直しの必要性が指摘されてきた。また、コンピュータなどの電子機器が多用されるようになり、配電線などから進入する雷サージや建築物への落雷時に建物と配線間に生じる電位差などによって、これら電子機器が損傷する例が増えつつあり、その対策を考慮する必要性があった。
【０００３】
一方、近年、雷現象に関する研究が世界的に進展し、蓄積されたデータを基に国際基準や規格が整備されつつある。そして、ＩＥＣ（International Electrotechnical Commission：国際電気標準会議）では、国際規格作成の審議が行われ、１９９０年にＩＥＣ  １０２４−１“建築物の雷保護”が制定され、国際的に使用されている。このＩＥＣ  １０２４−１“建築物の雷保護”では、その保護範囲について、雷放電の最終段階進展距離である雷撃距離の理論に基づく回転球体法を主体に採用し、これと等価な保護角法、メッシュ法が規定されている。
そして、上記ＪＩＳ−Ａ−４２０１の規格は国際整合化をはかることとし、上記ＩＥＣ  １０２４−１を基準とする規格改正が為される。
【０００４】
また、従来のＪＩＳ規格の課題は、「建築物等の避雷設備（避雷針）」であったが、今回上記ＩＥＣに合わせ「建築物等の雷保護」とした。
以上のように、近日改訂が為される「ＪＩＳ−Ａ−４２０１建築物等の雷保護」で避雷設備の保護範囲を設定する場合、基本的には回転球体法に基づき行うことが規定されることとなる。
【０００５】
このＪＩＳ規格で規定される回転球体法は、図７に示すように、２つ以上の受雷部に同時に接するように、または１つ以上の受雷部と大地とに同時に接するように球体を回転させたときに、球体表面の包絡面から被保護物側を保護範囲とする方法であり、また、図８に示すように、雷保護する対象物に対して設定された４つの保護レベルごとに、雷撃距離（球体の半径）Ｒが２０ｍ、３０ｍ、４５ｍ、６０ｍに分けられるものである。
【０００６】
【非特許文献１】
ＪＩＳ−Ａ−４２０１
【非特許文献２】
ＩＥＣ  １０２４−１，Protection of structures against lightning，part 1:General principles
【０００７】
【発明が解決しようとする課題】
建築物の避雷保護範囲の設定に際し、上記回転球体法に基づいて、例えば１／１００、または１／２００の縮尺でかかれた建築図面に対して円弧線を描画するとき、コンパス、または分度器等を用いることが考えられる。
しかしながら、上記ＪＩＳ規格で規定される、２０ｍ、３０ｍ、４５ｍ、及び６０ｍの４種類の球体半径の１／１００、または１／２００の縮尺の円弧線を描画するようなコンパス、または分度器となるとサイズが大きくなり、使用が困難になるとともに、持ち運びが困難である。
【０００８】
本発明は上記問題を解決するために為されたものであり、コンパス、及び分度器を使用することなく、容易に、ＪＩＳ規格に定められた回転球体法に基づいて避雷設備の設置位置、及び避雷保護範囲の設定を行うことのできる回転球体法定規セットを提供することを目的とする。
【０００９】
【課題を解決するための手段】
上記問題を解決するために本発明の請求項１に記載の回転球体法定規セットは、建築工作物に対し避雷設備あるいは避雷保護範囲を設定する設計を行う際に用いる、複数枚の回転球体法定規からなる回転球体法定規セットであって、上記各回転球体法定規は、該定規の所定の球体半径の、１つまたは複数の所定の縮尺の円弧の一部が、１つまたは複数の分割円弧線として透明プレートに描画されたものであり、上記各回転球体法定規は、該定規上における、上記所定の縮尺毎の高さ０ｍを表す地表線と、該地表線との垂直度を示す鉛直線とを備え、上記鉛直線は、地表面からの所定の高さ間隔毎に若干長の長さで形成された高さ目盛り線を有し、上記各分割円弧線は、１つまたは複数の線が水平に描画され、そのそれぞれが高さを示す高さ指示線を有するものであり、所定の縮尺で描かれた建築図面に対して、所要の球体半径の定規をあてがい、該建築図面と同じ縮尺の円弧の一部である１つの円弧線または複数の分割円弧線が連なった円弧線を、回転球体法に基づいて、大地と避雷設備とに、または２つ以上の避雷設備に同時に接するように描画するものである。
これにより、コンパスや分度器を用いることなく、容易に、ＪＩＳ規格に定められた回転球体法に基づいて、避雷設備の設置位置、及び避雷保護範囲の設定を行うことができる。
また、建築図面の地表面、または陸屋根との位置合わせが可能になるとともに、垂直を確認することができ、建築図面に描画する円弧線の位置決めを容易に行うことができる。
また、建築図面上の地表面または陸屋根からの高さを確認することができ、建築図面に描画する円弧線の位置決めを容易に行うことができる。
【００１０】
また、本発明の請求項２に記載の回転球体法定規セットは、請求項１に記載の回転球体法定規セットにおいて、上記各回転球体法定規毎の所定の球体半径は、２０ｍ、３０ｍ、４５ｍ、及び６０ｍの４種類であるものとしたものである。
これにより、ＪＩＳ規格に定められた４つの保護レベルの、該それぞれの避雷設備の設置位置、及び避雷保護範囲の設定を行うことのできる定規セットを提供することができる。
【００１１】
また、本発明の請求項３に記載の回転球体法定規セットは、請求項１または２に記載の回転球体法定規セットにおいて、上記各回転球体法定規は、すべて同一サイズであるものとしたものである。
これにより、サイズを小さくすることで、持ち運びが簡単で、外出先等においても、容易に使用することができる。
【００１２】
また、本発明の請求項４に記載の回転球体法定規セットは、請求項１ないし３のいずれかに記載の回転球体法定規セットにおいて、上記各回転球体法定規は、すべてＡ４サイズであるものとしたものである。
これにより、持ち運びが簡単で、外出先等においても、容易に使用することができる定規セットを提供することができる。
【００１３】
また、本発明の請求項５に記載の回転球体法定規セットは、請求項１ないし４のいずれかにに記載の回転球体法定規セットにおいて、上記各回転球体法定規に描画された各分割円弧線は、各２０ｍ、３０ｍ、４５ｍ、６０ｍの半径の所定の縮尺円の１／４円分の円弧線、またはこれを１／２〜１／４に分割した円弧線であり、上記半径２０ｍ用の定規は、半径２０ｍの円の、１／１００の縮尺の１／４円分の円弧線を２分割して得られる２つの円弧線、及び／または該半径２０ｍの円の、１／２００の縮尺の１／４円分の円弧線を有するものであり、上記半径３０ｍ用の定規は、半径３０ｍの円の、１／１００の縮尺の１／４円分の円弧線を３分割して得られる３つの円弧線、及び／または該半径３０ｍの円の、１／２００の縮尺の１／４円分の円弧線を有するものであり、上記半径４５ｍ用の定規は、半径４５ｍの円の、１／１００の縮尺の１／４円分の円弧線を４分割して得られる４つの円弧線、及び／または該半径４５ｍの円の、１／２００の縮尺の１／４円分の円弧線を２分割して得られる２つの円弧線を有するものであり、上記半径６０ｍ用の定規は、半径６０ｍの円の、１／１００の縮尺の１／４円分の円弧線を４分割して得られる４つの円弧線、及び／または該半径６０ｍの円の、１／２００の縮尺の１／４円分の円弧線を３分割して得られる３つの円弧線を有するものである。
これにより、１／１００、及び１／２００の縮尺の分割円弧線を、球体半径Ｒ＝２０ｍ、３０ｍ、４５ｍ、及び６０ｍ用のそれぞれ１枚の定規で描画でき、該各縮尺の建築図面に対して、ＪＩＳ規格に定められた４つの保護レベルの、該それぞれの避雷設備の設置位置、及び避雷保護範囲の設定を行うことのできる定規セットを提供することができる。
【００１４】
また、本発明の請求項６に記載の回転球体法定規セットは、請求項５に記載の回転球体法定規セットにおいて、上記半径６０ｍ用の定規は、半径６０ｍの円の、上記１／２００の縮尺の１／４円分の円弧線を３分割して得られる３つの円弧線を、該半径６０ｍ用の定規上に有さず、上記半径３０ｍ用の定規上にある、上記半径３０ｍの円の、１／１００の縮尺の１／４円分の円弧線を３分割して得られる３つの円弧線を、該３つの円弧線として用いるものである。
これにより、６０ｍ用、または別の定規に１／２００の縮尺の分割円弧線を形成する必要がなく、低コストを実現でき、また、該６０ｍ用の定規の視認性、及び使用性を確保することができる。
【００１７】
また、本発明の請求項７に記載の回転球体法定規セットは、請求項１に記載の回転球体法定規セットにおいて、上記地表線、上記高さ目盛り線、及び高さ指示線のいずれかを用いて、水平度を確認可能としたものである。
これにより、地表面からの高さ、及び垂直度とともに、水平度を確認することができ、建築図面に描画する円弧線の位置決めを容易に、かつ確実に行うことができる。
【００１８】
また、本発明の請求項８に記載の回転球体法定規セットは、請求項１ないし７のいずれかに記載の回転球体法定規セットにおいて、上記透明プレートに描画された各分割円弧線は、該各分割円弧線をそのまま建築図面上に描けるよう筆記用具挿通可能な溝が形成されてなるものである。
これにより、上記定規の位置合わせをした後に、透明プレートに描画された分割円弧線をなぞるだけで、容易にＪＩＳ規格に定められた回転球体法に基づいて、避雷設備の設置位置、及び建築物の避雷保護範囲の設定を行うことができる。
【００１９】
また、本発明の請求項９に記載の回転球体法定規セットは、請求項１ないし８のいずれかに記載の回転球体法定規セットにおいて、上記各分割円弧線に有する１つまたは複数の高さ指示線のいずれかに、該高さ指示線をそのまま建築図面上に描けるよう筆記用具挿通可能な溝が形成されているものである。
これにより、複数の分割円弧線を繋げて描画する際に、該繋げる分割円弧線の位置を容易に合わせることができる。
【００２０】
また、本発明の請求項１０に記載の回転球体法定規セットは、請求項１ないし９のいずれかに記載の回転球体法定規セットにおいて、上記透明プレートは、該透明プレートを通して建築図面を視認可能な半透明なものである。
これにより、建築図面と当該定規とを重ねて使用でき、分割円弧線を描画する位置を容易に確認することができる。
【００２１】
また、本発明の請求項１１に記載の回転球体法定規セットは、請求項１ないし１０のいずれかに記載の回転球体法定規セットにおいて、上記透明プレートは、透明ポリエチレン製であるものとしたものである。
これにより、建築図面と重ねて円弧線を描画可能な定規を実現できる。
【００２２】
【発明の実施の形態】
実施の形態１．
図１は本発明の実施の形態１に係る回転球体法を用いて建築物の避雷保護範囲を設定するための回転球体法定規セット１０００を示しており、図２〜図５は、該セット１０００を構成する、各々がＡ４サイズの変性ポリエチレンテフレタート製の透明プレートよりなる、それぞれ球体半径Ｒが２０ｍ、３０ｍ、４５ｍ、及び６０ｍ用の回転球体法定規２００、３００、４００、５００を示すものである。
【００２３】
図２に示す、球体半径Ｒが２０ｍ用の回転球体法定規２００上には、複数の分割円弧線が描画されており、２１、及び２２は、球体半径Ｒ＝２０ｍの円の、１／１００の縮尺円を、１／４分割してなる分割円弧線を、さらに所要の長さに２分割してそれぞれ得られる、分割円弧線であり、２３は、球体半径Ｒ＝２０ｍの円の、１／２００の縮尺円を、１／４分割してなる分割円弧線である。また、２０１は高さ０ｍを示すグランドライン“▽ＧＬ”であり、２０２は垂直を示す鉛直線、２０３は該鉛直線２０２から所定の高さ間隔毎に若干長の長さに形成された高さ目盛り線、２０４は上記分割円弧線２１の上端から水平方向に引き出して描いてなる、“▽ＧＬ＋５ｍ”の高さを示す高さ指示線、２０５は上記分割円弧線２２上の各点から水平方向に引き出して描いてなる、それぞれ“▽ＧＬ＋５ｍ”、“▽ＧＬ＋１０ｍ”、“▽ＧＬ＋１５ｍ”、“▽ＧＬ＋２０ｍ”の高さを示す高さ指示線、２０６は上記分割円弧線２３上の各点から水平方向に引き出して描いてなる、それぞれ“▽ＧＬ＋１０ｍ”、“▽ＧＬ＋１５ｍ”、“▽ＧＬ＋２０ｍ”の高さを示す高さ指示線である。
【００２４】
また、上記分割円弧線２３に示すように、該分割円弧線２３のグランドライン“▽ＧＬ”を、グランドライン２０１と別の位置に設けることによって、球体半径Ｒ＝２０ｍ用の定規において、同じプレート上に縮尺の違う分割円弧線を設けることが可能になる。
【００２５】
図３に示す、球体半径Ｒが３０ｍ用の回転球体法定規３００上には、複数の分割円弧線が描画されており、３１、３２、及び３３は球体半径Ｒ＝３０ｍの円の、１／１００の縮尺円を、１／４分割してなる分割円弧線を、さらに所要の長さに３分割してそれぞれ得られる、分割円弧線であり、３４は球体半径Ｒ＝３０ｍの円の、１／２００の縮尺円を、１／４分割してなる分割円弧線である。また、３０１は高さ０ｍを示すグランドライン“▽ＧＬ”であり、３０２は鉛直線、３０３は該鉛直線３０２から所定の高さ位置毎に若干長の長さに形成された高さ目盛り線、３０４は上記分割円弧線３１の上端から水平方向に引き出して描いてなる、“▽ＧＬ＋５ｍ”の高さを示す高さ指示線、３０５は上記分割円弧線３２の各点から水平方向に引き出して描いてなる、それぞれ“▽ＧＬ＋５ｍ” “▽ＧＬ＋１０ｍ” “▽ＧＬ＋１５ｍ”の高さを示す高さ指示線、３０６は上記分割円弧線３３の各点から水平方向に引き出して描いてなる、それぞれ“▽ＧＬ＋１５ｍ” “▽ＧＬ＋２０ｍ” “▽ＧＬ＋２５ｍ” “▽ＧＬ＋３０ｍ”の高さを示す高さ指示線、３０７は上記分割円弧線３４の各点から水平方向に引き出して描いてなる、それぞれ“▽ＧＬ＋１０ｍ” “▽ＧＬ＋１５ｍ” “▽ＧＬ＋２０ｍ” “▽ＧＬ＋２５ｍ” “▽ＧＬ＋３０ｍ”の高さを示す高さ指示線である。
【００２６】
また、図２に示した球体半径Ｒ＝２０ｍ用の定規と同様、上記分割円弧線３４に示すように、該分割円弧線３４のグランドライン“▽ＧＬ”を、グランドライン３０１と別の位置に設けることによって、球体半径Ｒ＝３０ｍ用の定規において、同じプレート上に縮尺の違う分割円弧線を設けることが可能になる。
【００２７】
図４に示す、球体半径Ｒが４５ｍ用の回転球体法定規４００上には、複数の分割円弧線が描画されており、４１、４２、４３、及び４４は球体半径Ｒ＝４５ｍの円の、１／１００の縮尺円を、１／４分割してなる分割円弧線を、さらに所要の長さに４分割してそれぞれ得られる、分割円弧線であり、４５、及び４６は球体半径Ｒ＝４５ｍの円の、１／２００の縮尺円を、１／４分割してなる分割円弧線を、さらに所要の長さに２分割してそれぞれ得られる、分割円弧線である。また、４０１は高さ０ｍを示すグランドライン“▽ＧＬ”であり、４０２は垂直を示す鉛直線、４０３は該鉛直線４０２から所定の高さ位置毎に若干長の長さに形成された高さ目盛り線、４０４は上記分割円弧線４１の上端から水平方向に引き出して描いてなる、“▽ＧＬ＋３ｍ”の高さを示す高さ指示線、４０５は上記分割円弧線４２の各点から水平方向に引き出して描いてなる、それぞれ“▽ＧＬ＋３ｍ” “▽ＧＬ＋１０ｍ” “▽ＧＬ＋１３ｍ”の高さを示す高さ指示線、４０６は上記分割円弧線４３の各点から水平方向に引き出して描いてなる、それぞれ“▽ＧＬ＋１３ｍ” “▽ＧＬ＋１５ｍ” “▽ＧＬ＋２０ｍ” “▽ＧＬ＋２５ｍ” “▽ＧＬ＋２８ｍ”の高さを示す高さ指示線、４０７は上記分割円弧線４４の各点から水平方向に引き出して描いてなる、それぞれ“▽ＧＬ＋２８ｍ” “▽ＧＬ＋３０ｍ” “▽ＧＬ＋３５ｍ” “▽ＧＬ＋４０ｍ” “▽ＧＬ＋４５ｍ”の高さを示す高さ指示線、４０８は上記分割円弧線４５の各点から水平方向に引き出して描いてなる、それぞれ“▽ＧＬ＋１０ｍ” “▽ＧＬ＋１５ｍ”の高さを示す高さ指示線、４０９は上記分割円弧線４６の各点から水平方向に引き出して描いてなる、それぞれ“▽ＧＬ＋１５ｍ”、“▽ＧＬ＋２０ｍ”、“▽ＧＬ＋２５ｍ”、“▽ＧＬ＋３０ｍ”、“▽ＧＬ＋３５ｍ、“▽ＧＬ＋４０ｍ”、“▽ＧＬ＋４５ｍ”の高さを示す高さ指示線である。
【００２８】
図５に示す、球体半径Ｒが６０ｍ用の回転球体法定規５００上には、複数の分割円弧線が描画されており、５１、５２、５３、及び５４は球体半径Ｒ＝６０ｍの円の、１／１００の縮尺円を、１／４分割してなる分割円弧線をさらに所要の長さに４分割してそれぞれ得られる、分割円弧線である。また、５０１は高さ０ｍを示すグランドライン“▽ＧＬ”であり、５０２は鉛直線、５０３は該鉛直線５０２から所定の高さ位置毎に若干長の長さに形成された高さ目盛り線、５０４は上記分割円弧線５１の上端から水平方向に引き出して描いてなる、“▽ＧＬ＋３ｍ”の高さを示す高さ指示線、５０５は上記分割円弧線５２の各点から水平方向に引き出して描いてなる、それぞれ“▽ＧＬ＋３ｍ” “▽ＧＬ＋１０ｍ” “▽ＧＬ＋１３ｍ” の高さを示す高さ指示線、５０６は上記分割円弧線５３の各点から水平方向に引き出して描いてなる、それぞれ“▽ＧＬ＋１３ｍ” “▽ＧＬ＋１５ｍ” “▽ＧＬ＋２０ｍ” “▽ＧＬ＋２５ｍ” “▽ＧＬ＋３０ｍ” “▽ＧＬ＋３５ｍ”の高さを示す高さ指示線、５０７は上記分割円弧線５４の各点から水平方向に引き出して描いてなる、それぞれ“▽ＧＬ＋３５ｍ” “▽ＧＬ＋４０ｍ” “▽ＧＬ＋４５ｍ” “▽ＧＬ＋５０ｍ” “▽ＧＬ＋５５ｍ” “▽ＧＬ＋６０ｍ”の高さを示す高さ指示線である。また、この球体半径Ｒ＝６０ｍ用の定規において、透明プレート上に１／１００の分割円弧線のみを設けたが、１／２００の分割円弧線は球体半径Ｒ＝３０ｍ用の定規の１／１００と同一の分割円弧線となるため、これと共用することができ、これにより生産コストがかからず、該定規の視認性、及び使用性を確保することができる。
【００２９】
また、以上のように、各定規に描画された上記各分割円弧線には、筆記用具挿通可能な円弧溝が形成されており、これにより、建築図面に合わせた該分割円弧線をそのまま描画することができる。さらに、高さ指示線に溝を形成することにより、複数の分割円弧線を繋げて描画する際に、位置合わせを容易にすることができる。
【００３０】
なお、上記高さ目盛り線２０３、３０３、４０３、５０３は、１／１００の縮尺において１ｍ毎の間隔で目盛りを設けるようにしたが、これに限ったものでなく、例えば、さらに細分化した目盛りを設けるなどしてもよい。
【００３１】
また、各分割円弧線に表記された上記高さ指示線は、▽ＧＬ以外の、該分割円弧線の両端と、高さ位置５ｍ、あるいは１０ｍ毎とに設けられているが、これに限ったものでなく、使用用途に合わせた高さ位置に該高さ指示線を設けるようにしてもよい。
【００３２】
また、本実施の形態に係る回転球体法定規セットは、各定規における球体半径の縮尺円を１／４分割してなる分割円弧線をさらに分割した分割円弧線のそれぞれの位置関係がわかるように、１／１００の縮尺の各分割円弧線にはそれぞれ丸数字を、球体半径４５ｍ用の定規４００の１／２００の縮尺の各分割円弧線にはそれぞれ数字を付しているが、これに限ったものでなく、各分割円弧線の位置関係がわかるようなものであればよい。
【００３３】
次に、本発明の実施の形態１に係る回転球体法定規セットの各定規の使用方法について図２〜図６を用いて説明する。
本実施の形態１に係る回転球体法定規セットにおいて、建築図面に描かれた建築物に対し、避雷設備（受雷部）の設置位置を設定する、あるいは該建築物の避雷保護範囲を設定するには、上記したＪＩＳ規格の回転球体法に基づいて、上記建築図面に対して、所要の半径の円弧線を、該円弧線が、２つ以上の受雷部に同時に接するように、あるいは１つ以上の受雷部と大地とに同時に接するように描画することにより、これを行うものである。
【００３４】
まず、１／１００、または１／２００で描かれた建築図面６００に対し、避雷設備を設計するには、４種類の球体半径、即ち２０ｍ、３０ｍ、４５ｍ、６０ｍの各回転球体法定規２００、３００、４００、及び５００のうちの被保護物の保護レベルに応じたものを用いて以下の操作を行う。即ち、該建築物に必要な保護レベルに対応する球体半径Ｒが２０ｍで建築図面６００が１／１００の縮尺である場合には、該建築図面６００上に球体半径Ｒ＝２０ｍ用の定規２００を置き、該定規２００の１／１００の縮尺円の２つの分割円弧線２１、２２のいずれかを、該定規の分割円弧線が大地と受雷部とに、あるいは２つ以上の受雷部に同時に接するようにするため、上記グランドライン、鉛直線、高さ目盛り線、及び高さ指示線のいずれかを用いて、該定規２００を通して建築図面６００を見ながら該建築図面６００上でずらして、建築物の高さと該定規上の高さ表示の高さとを合わせて、上記の接する状態に、上記定規の位置を決める。そして、この状態で、図６に示すように、例えば、定規の、上記接する状態となった分割円弧線が、高い方の分割円弧線２２の場合、該分割円弧線２２の円弧溝２２ｇ内にペンを挿入して該分割円弧線の所要の長さだけ描画する。次に、もう一つの低い方の分割円弧線２１についても定規をずらして位置を合わせた後、該分割円弧線２１の円弧溝２１ｇ内にペンを挿入して該分割円弧線を描画する。これにより、該描画した両分割円弧線が連なった、球体半径Ｒ＝２０ｍの円の、１／１００の縮尺円を、１／４分割してなる分割円弧線を上記回転球体法に基づいて描画することができる。
【００３５】
また、上記建築物に必要な保護レベルに対応する球体半径が２０ｍで、建築図面６００が１／２００の縮尺である場合には、球体半径Ｒ＝２０ｍの１／２００の縮尺円の分割円弧線２３を、該定規の分割円弧線が大地と受雷部とに、あるいは２つ以上の受雷部に同時に接するようにするため、上記グランドライン、鉛直線、高さ目盛り線、及び高さ指示線を用いて、該定規２００を通して建築図面６００を見ながら該建築図面６００上でずらして、建築物の高さと該定規上の高さ表示の高さとを合わせて、上記の接する状態にする。そして、この状態で、定規の、上記接する状態となった分割円弧線２３の円弧溝２３ｇ内にペンを挿入して該分割円弧線の円弧を所要の長さだけ描画する。これにより、球体半径Ｒ＝２０ｍの円の、１／２００の縮尺円を、１／４分割してなる分割円弧線を回転球体法に基づいて描画することができる。
【００３６】
次に、該建築物に必要な保護レベルに対応する球体半径Ｒが３０ｍで建築図面６００が１／１００の縮尺の場合には、該建築図面６００上に球体半径Ｒ＝３０ｍ用の定規３００を置き、該定規３００の１／１００の縮尺円の３つの分割円弧線３１、３２、３３のいずれかを、該定規の分割円弧線が大地と受雷部とに、あるいは２つ以上の受雷部に同時に接するようにするため、上記球体半径Ｒ＝２０ｍの定規で説明した使用方法と同様に、該定規３００を建築図面６００上でずらして、上記の接する状態に、上記定規の位置を決め、該３つの分割円弧線３１、３２、３３を、該各分割円弧線の円弧溝に沿って順次描画する。これにより、該描画した３つの分割円弧線が連なった、球体半径Ｒ＝３０ｍの円の、１／１００の縮尺円を、１／４分割してなる分割円弧線を上記回転球体法に基づいて描画することができる。
【００３７】
また、上記建築物に必要な保護レベルに対応する球体半径Ｒが３０ｍで、建築図面６００が１／２００の縮尺である場合には、球体半径Ｒ＝３０ｍの１／２００の縮尺円の分割円弧線３４を、該定規の分割円弧線が大地と受雷部とに、あるいは２つ以上の受雷部に同時に接するようにするため、上記球体半径Ｒ＝２０ｍの定規で説明した使用方法と同様に、該定規３００を建築図面６００上でずらして、上記の接する状態に、上記定規の位置を決め、分割円弧線３４を該分割円弧線の円弧溝に沿って描画する。これにより、球体半径Ｒ＝３０ｍの円の、１／２００の縮尺円を、１／４分割してなる分割円弧線を回転球体法に基づいて描画することができる。
【００３８】
次に、該建築物に必要な保護レベルに対応する球体半径Ｒが４５ｍで建築図面６００が１／１００の縮尺の場合には、該建築図面６００上に球体半径Ｒ＝４５ｍ用の定規４００を置き、該定規４００の１／１００の縮尺円の４つの分割円弧線４１、４２、４３、４４のいずれかを、該定規の分割円弧線が大地と受雷部とに、あるいは２つ以上の受雷部に同時に接するようにするため、上記球体半径Ｒ＝２０ｍの定規で説明した使用方法と同様に、該定規４００を建築図面６００上でずらして、上記の接する状態に、上記定規の位置を決め、該４つの分割円弧線４１、４２、４３、４４を、該各分割円弧線の円弧溝に沿って順次描画する。これにより、該描画した４つの分割円弧線が連なった、球体半径Ｒ＝４５ｍの円の、１／１００の縮尺円を、１／４分割してなる分割円弧線を上記回転球体法に基づいて描画することができる。
【００３９】
また、上記建築物に必要な保護レベルに対応する球体半径Ｒが４５ｍで、建築図面６００が１／２００の縮尺である場合には、球体半径Ｒ＝４５ｍの１／２００の縮尺円の２つの分割円弧線４５、４６のいずれかを、該定規の分割円弧線が大地と受雷部とに、あるいは２つ以上の受雷部に同時に接するようにするため、上記グランドライン、鉛直線、高さ目盛り線、及び高さ指示線のいずれかを用いて、該定規４００を通して建築図面６００を見ながら該建築図面６００上でずらして、建築物の高さと該定規上の高さ表示の高さとを合わせて、上記の接する状態に、上記定規の位置を決める。そして、この状態で、例えば、定規の、上記接する状態となった分割円弧線が、高い方の分割円弧線４６の場合、該分割円弧線４６の円弧溝内にペンを挿入して該分割円弧線の所要の長さだけ描画する。次に、もう一つの低い方の分割円弧線４５についても定規をずらして位置を合わせた後、ペンで該分割円弧線を描画する。これにより、該描画した両分割円弧線が連なった、球体半径４５ｍの円の、１／２００の縮尺円を、１／４分割してなる分割円弧線を上記回転球体法に基づいて描画することができる。
【００４０】
次に、該建築物に必要な保護レベルに対応する球体半径Ｒが６０ｍで建築図面６００が１／１００の縮尺の場合には、該建築図面６００上に球体半径Ｒ＝６０ｍ用の定規５００を置き、該定規５００の１／１００の縮尺円の４つの分割円弧線５１、５２、５３、５４のいずれかを、該定規の分割円弧線が大地と受雷部とに、あるいは２つ以上の受雷部に同時に接するようにするため、上記球体半径Ｒ＝２０ｍの定規で説明した使用方法と同様に、該定規５００を建築図面６００上でずらして、上記の接する状態に、上記定規の位置を決め、該４つの分割円弧線５１、５２、５３、５４を、該各分割円弧線の円弧溝に沿って順次描画する。これにより、該描画した４つの分割円弧線が連なった、球体半径Ｒ＝６０ｍの円の、１／１００の縮尺円を、１／４分割してなる分割円弧線を上記回転球体法に基づいて描画することができる。
【００４１】
また、該建築物に必要な保護レベルに対応する球体半径Ｒが６０ｍで建築図面６００が１／２００の縮尺の場合には、その描画する円弧線が球体半径Ｒ＝３０ｍ用の定規３００の１／１００の縮尺円の円弧線３１、３２、３３と同一であるので、該定規３００と同じ使用方法で描画する。これにより、該描画した３つの分割円弧線が連なった、球体半径Ｒ＝６０ｍの円の、１／２００の縮尺円を、１／４分割してなる分割円弧線を上記回転球体法に基づいて描画することができる。
なお、建築図面の建物に対して右側に円弧線を描画する、即ち、左上がりの円弧線を描画するとき、当該定規を裏返して使用するのは言うまでもない。
【００４２】
以上のように、１／１００、１／２００の縮尺で描かれた建築図面に対し、上記ＪＩＳ規格で規定された回転球体法に基づいて、球体半径Ｒが２０ｍ、３０ｍ、４５ｍ、６０ｍの該縮尺の円弧線を描画可能としたので、コンパスや分度器等を用いることなく、容易に、ＪＩＳ規格に基づいて避雷設備の設置位置、及び建築物の避雷保護範囲を設定することができる。また、１／１００、１／２００の縮尺で描かれた建築図面に対して、上記ＪＩＳ規格で規定された４つの保護レベルの、該それぞれの避雷設備の設置位置、及び建築物の避雷保護範囲を、４枚の定規で設定可能な定規セットを実現することができる。また、該４枚の定規をすべてＡ４サイズとしたので、持ち運びが簡単で、外出先等においても、容易に使用可能な定規セットを実現することができる。
【００４３】
【発明の効果】
以上のような本発明の請求項１に記載の回転球体法定規セットによれば、建築工作物に対し避雷設備あるいは避雷保護範囲を設定する設計を行う際に用いる、複数枚の回転球体法定規からなる回転球体法定規セットであって、上記各回転球体法定規は、該定規の所定の球体半径の、１つまたは複数の所定の縮尺の円弧の一部が、１つまたは複数の分割円弧線として透明プレートに描画されたものであり、上記各回転球体法定規は、該定規上における、上記所定の縮尺毎の高さ０ｍを表す地表線と、該地表線との垂直度を示す鉛直線とを備え、上記鉛直線は、地表面からの所定の高さ間隔毎に若干長の長さで形成された高さ目盛り線を有し、上記各分割円弧線は、１つまたは複数の線が水平に描画され、そのそれぞれが高さを示す高さ指示線を有するものであり、所定の縮尺で描かれた建築図面に対して、所要の球体半径の定規をあてがい、該建築図面と同じ縮尺の円弧の一部である１つの円弧線または複数の分割円弧線が連なった円弧線を、回転球体法に基づいて、大地と避雷設備とに、または２つ以上の避雷設備に同時に接するように描画するので、コンパスや分度器を用いることなく、容易に、ＪＩＳ規格に定められた回転球体法に基づいて、避雷設備の設置位置、及び避雷保護範囲の設定を行うことができる定規セットを提供することができる効果がある。
また、建築図面の地表面、または陸屋根との位置合わせが可能になるとともに、垂直を確認することができ、建築図面に描画する円弧線の位置決めを容易に行うことができる効果がある。
また、建築図面上の地表面または陸屋根からの高さを確認することができ、建築図面に描画する円弧線の位置決めを容易に行うことができる効果がある。
【００４４】
また、本発明の請求項２に記載の回転球体法定規セットによれば、請求項１に記載の回転球体法定規セットにおいて、上記各回転球体法定規毎の所定の球体半径は、２０ｍ、３０ｍ、４５ｍ、及び６０ｍの４種類であるので、ＪＩＳ規格に定められた４つの保護レベルの、該それぞれの避雷設備の設置位置、及び避雷保護範囲の設定を行うことのできる定規セットを提供することができる効果がある。
【００４５】
また、本発明の請求項３に記載の回転球体法定規セットによれば、請求項１または２に記載の回転球体法定規セットにおいて、上記各回転球体法定規は、すべて同一サイズであるので、サイズを小さくすることで、持ち運びが簡単で、外出等においても、容易に使用することができる効果がある。
【００４６】
また、本発明の請求項４に記載の回転球体法定規セットによれば、請求項１ないし３のいずれかに記載の回転球体法定規セットにおいて、上記各回転球体法定規は、すべてＡ４サイズであるので、持ち運びが簡単で、外出先等においても、容易に使用することができる定規セットを提供することができる効果がある。
【００４７】
また、本発明の請求項５に記載の回転球体法定規セットによれば、請求項１ないし４のいずれかに記載の回転球体法定規セットにおいて、上記各回転球体法定規に描画された各分割円弧線は、各２０ｍ、３０ｍ、４５ｍ、６０ｍの半径の所定の縮尺円の１／４円分の円弧線、またはこれを１／２〜１／４に分割した円弧線であり、上記半径２０ｍ用の定規は、半径２０ｍの円の、１／１００の縮尺の１／４円分の円弧線を２分割して得られる２つの円弧線、及び／または該半径２０ｍの円の、１／２００の縮尺の１／４円分の円弧線を有するものであり、上記半径３０ｍ用の定規は、半径３０ｍの円の、１／１００の縮尺の１／４円分の円弧線を３分割して得られる３つの円弧線、及び／または該半径３０ｍの円の、１／２００の縮尺の１／４円分の円弧線を有するものであり、上記半径４５ｍ用の定規は、半径４５ｍの円の、１／１００の縮尺の１／４円分の円弧線を４分割して得られる４つの円弧線、及び／または該半径４５ｍの円の、１／２００の縮尺の１／４円分の円弧線を２分割して得られる２つの円弧線を有するものであり、上記半径６０ｍ用の定規は、半径６０ｍの円の、１／１００の縮尺の１／４円分の円弧線を４分割して得られる４つの円弧線、及び／または該半径６０ｍの円の、１／２００の縮尺の１／４円分の円弧線を３分割して得られる３つの円弧線を有するものであるので、１／１００、及び１／２００の縮尺の分割円弧線を、球体半径Ｒ＝２０ｍ、３０ｍ、４５ｍ、及び６０ｍ用のそれぞれ１枚の定規で描画でき、該各縮尺毎の建築図面に対して、ＪＩＳ規格に定められた４つの保護レベルの、該それぞれの避雷設備の設置位置、及び避雷保護範囲の設定を行うことのできる定規セットを提供することができる効果がある。
【００４８】
また、本発明の請求項６に記載の回転球体法定規セットによれば、請求項５に記載の回転球体法定規セットにおいて、上記半径６０ｍ用の定規は、半径６０ｍの円の、上記１／２００の縮尺の１／４円分の円弧線を３分割して得られる３つの円弧線を、該半径６０ｍ用の定規上に有さず、上記半径３０ｍ用の定規上にある、上記半径３０ｍの円の、１／１００の縮尺の１／４円分の円弧線を３分割して得られる３つの円弧線を、該３つの円弧線として用いるので、６０ｍ用または別の定規に１／２００の縮尺の円弧線を形成する必要がなく、低コストを実現でき、また、該６０ｍ用の定規の視認性、及び使用性を確保することができる効果がある。
【００５１】
また、本発明の請求項７に記載の回転球体法定規セットによれば、請求項１に記載の回転球体法定規セットにおいて、上記地表線、上記高さ目盛り線、及び高さ指示線のいずれかを用いて、水平度を確認可能としたので、地表面からの高さ、及び垂直度とともに、水平度を確認することができ、建築図面に描画する円弧線の位置決めを容易に、かつ確実に行うことができる効果がある。
【００５２】
また、本発明の請求項８に記載の回転球体法定規セットによれば、請求項１ないし７のいずれかに記載の回転球体法定規セットにおいて、上記透明プレートに描画された各分割円弧線は、該各分割円弧線をそのまま建築図面上に描けるよう筆記用具挿通可能な溝が形成されてなるものであるので、上記定規の位置合わせをした後に、透明プレートに描画された分割円弧線をなぞるだけで、容易にＪＩＳ規格に定められた回転球体法に基づいて、避雷設備の設置位置、及び建築物の避雷保護範囲の確認を行うことができる効果がある。
【００５３】
また、本発明の請求項９に記載の回転球体法定規セットによれば、請求項１ないし８のいずれかに記載の回転球体法定規セットにおいて、上記各分割円弧線に有する１つまたは複数の高さ指示線のいずれかに、該高さ指示線をそのまま建築図面上に描けるよう筆記用具挿通可能な溝が形成されているので、複数の分割円弧線を繋げて描画する際に、該繋げる分割円弧線の位置を容易に合わせることができる効果がある。
【００５４】
また、本発明の請求項１０に記載の回転球体法定規セットによれば、請求項１ないし９のいずれかに記載の回転球体法定規セットにおいて、上記透明プレートは、該透明プレートを通して建築図面を視認可能な半透明なものであるので、建築図面と当該定規とを重ねて使用でき、位置合わせ、及び円弧線の描画を容易に行うことができる効果がある。
【００５５】
また、本発明の請求項１１に記載の回転球体法定規セットによれば、請求項１ないし１０のいずれかに記載の回転球体法定規セットにおいて、上記透明プレートは、透明ポリエチレン製であるので、建築図面と重ねて円弧線を描画可能な定規を実現できる効果がある。
【図面の簡単な説明】
【図１】本発明の実施の形態１に係る回転球体法定規セットを示す図である。
【図２】本発明の実施の形態１に係る回転球体法定規セットにおける球体半径２０ｍ用の回転球体法定規である。
【図３】本発明の実施の形態１に係る回転球体法定規セットにおける球体半径３０ｍ用の回転球体法定規である。
【図４】本発明の実施の形態１に係る回転球体法定規セットにおける球体半径４５ｍ用の回転球体法定規である。
【図５】本発明の実施の形態１に係る回転球体法定規セットにおける球体半径６０ｍ用の回転球体法定規である。
【図６】本発明の実施の形態１に係る回転球体法定規セットにおける使用中の回転球体法定規を示す図である。
【図７】回転球体法を説明するための図である。
【図８】保護レベルに合わせて受雷部を設置するための適合表である。
【符号の説明】
２１,２２  球体半径Ｒ＝２０ｍ用の回転球体法定規における１／１００の縮尺の分割円弧線。
２３  球体半径Ｒ＝２０ｍ用の回転球体法定規における１／２００の縮尺の分割円弧線。
３１,３２,３３  球体半径３０ｍ用の回転球体法定規における１／１００の縮尺の分割円弧線。
３４  球体半径Ｒ＝３０ｍ用の回転球体法定規における１／２００の縮尺の分割円弧線。
４１,４２,４３,４４  球体半径Ｒ＝４５ｍ用の回転球体法定規における１／１００の縮尺の分割円弧線。
４５,４６  球体半径Ｒ＝４５ｍ用の回転球体法定規における１／２００の縮尺の分割円弧線。
５１,５２,５３,５４  球体半径Ｒ＝６０ｍ用の回転球体法定規における１／１００の縮尺の分割円弧線。
２００  球体半径Ｒ＝２０ｍ用の回転球体法定規
３００  球体半径Ｒ＝３０ｍ用の回転球体法定規
４００  球体半径Ｒ４５ｍ用の回転球体法定規
５００  球体半径Ｒ６０ｍ用の回転球体法定規
５０１  グランドライン
２０２,３０２,４０２,５０２  鉛直線
２０３,３０３,４０３,５０３  高さ目盛り線
２０４,２０５,２０６,３０４,３０５,３０６,３０７,４０４,４０５,４０６,４０７,４０８,４０９,５０４,５０５,５０６,５０７  高さ指示線
６００  建築図面
２１ｇ,２２ｇ,２３ｇ  分割円弧線の円弧溝
１０００  回転球体法定規セット
【図１】
0003689405.tif 000002
【図２】
0003689405.tif 000003
【図３】
0003689405.tif 000004
【図４】
0003689405.tif 000005
【図５】
0003689405.tif 000006
【図６】
0003689405.tif 000007
【図７】
0003689405.tif 000008
【図８】
0003689405.tif 000009